(57)【要約】【課題】血液製剤の加温温度が目標温度に迅速に到達できる輸液装置を提供する。【解決手段】輸液装置１は、血液製剤が流れる加温流路４０と、加温流路４０の血液製剤を加温する加温部１１と、加温流路４０の血液製剤を送液する送液部２１と、制御部２０とを備えている。輸液装置１は、外部電源１００の電力を加温部１１、送液部２１及び制御部２０に供給する第１の状態と、外部電源１００の電力を加温部１１に供給し、バッテリ１０２の電力を送液部２１及び制御部２０に供給する第２の状態とを切り替える電源切り替え手段１２０をさらに備えている。【選択図】図４
2019072422.tif 000002
【特許請求の範囲】
【請求項１】
輸液用の液体を送液する輸液装置であって、
液体が流れる流路と、
前記流路の液体を加温する加温部と、
前記流路の液体を送液する送液部と、
前記加温部と前記送液部を少なくとも制御する制御部と、を備え、
第１の電源の電力を前記加温部、前記送液部及び前記制御部に供給する第１の状態と、前記第１の電源の電力を前記加温部に供給し、第２の電源の電力を前記送液部に供給し、前記第１の電源の電力又は前記第２の電源の電力を前記制御部に供給する第２の状態と、を切り替える電源切り替え手段と、を備えた、輸液装置。
【請求項２】
前記電源切り替え手段は、前記第２の状態において、前記第１の電源の電力を前記加温部に供給し、前記第２の電源の電力を前記送液部及び前記制御部に供給する、請求項１に記載の輸液装置。
【請求項３】
前記第２の電源となるバッテリと、をさらに備え、
前記第１の電源は、当該輸液装置の外部にある外部電源である、請求項１又は２に記載の輸液装置。
【請求項４】
前記第１の電源は、前記第２の電源よりも供給電力が大きい、請求項１〜３のいずれかに記載の輸液装置。
【請求項５】
前記電源切り替え手段は、前記加温部に送られる液体の送液流量が所定の閾値以下の場合に前記第１の状態に切り替え、前記送液流量が前記閾値を超える場合に前記第２の状態に切り替える、請求項１〜４のいずれかに記載の輸液装置。
【請求項６】
前記電源切り替え手段は、前記加温部において加温された液体の加温温度が所定の閾値より低い場合に前記第２の状態に切り替え、前記加温温度が所定の閾値以上の場合に前記第１の状態に切り替える、請求項１〜５のいずれかに記載の輸液装置。
【請求項７】
前記電源切り替え手段は、液体の送液の開始から所定時間、前記第２の状態に切り替え、前記所定時間経過後に前記第１の状態に切り替える、請求項１〜６のいずれかに記載の輸液装置。
【発明の詳細な説明】
【技術分野】
【０００１】
本発明は、輸液装置に関する。
【背景技術】
【０００２】
病院では患者に輸液する血液製剤の機能を維持するため、血液製剤を冷蔵保管している。血液製剤を患者に輸液する際には、患者の負担を軽減するため、血液製剤を適切な温度まで加温して輸液する。また大量または危機的出血が発生した緊急時には、血液製剤を短時間で大量に輸液する必要がある。よって、この際には、低温の大量の血液製剤を患者体温まで急速に加温して患者に輸液する必要がある。
【０００３】
上述の輸液には、血液製剤を加温しながら患者に輸液する輸液装置が知られている。この輸液装置は、貯留バッグの血液製剤をポンプで液体流路に流し、液体流路の所定区間のヒータで血液製剤を加温して、患者に送り込む構成を有している（特許文献１参照）。
【先行技術文献】
【特許文献】
【０００４】
【特許文献１】特開２０１５−０７３８４８号公報
【発明の概要】
【発明が解決しようとする課題】
【０００５】
ところで、輸液開始後、ヒータにより加温された血液製剤の加温温度（ヒータの出口における温度）が目標温度に到達し安定するまでには時間がかかる。これは、輸液開始直後はヒータの周辺部材の温度が安定しておらず、ヒータから周辺部材へ熱が逃げるためである。血液製剤の加温温度が目標温度に達するまでに時間がかかると、その分、目標温度よりも低温の血液製剤が患者に輸液されることになり好ましくない。このため、輸液開始当初、できるだけ多くの電力をヒータに供給し発熱量を増大させて、短時間で血液製剤の加温温度を目標温度まで到達させることが好ましい。
【０００６】
しかしながら、通常輸液装置のヒータの電源は、病院などの商業電源が用いられており、その電力は、輸液装置のヒータ以外のポンプなどにも分配供給されるため、ヒータに供給される電力を増大させるには限界がある。特に、緊急時などに大量の血液製剤を患者に輸液する場合には、その分ヒータに多くの電力を供給する必要があり、電力が足りなくなる。よって、血液製剤の加温温度が目標温度に到達し安定するまでの時間を短縮させることは難しかった。この結果、患者へ目標よりも低い温度の液体が注入され、低体温症になる恐れがある。
【０００７】
本出願はかかる点に鑑みてなされたものであり、血液製剤などの輸液用の液体の加温温度が目標温度に迅速に到達できる輸液装置を提供することをその目的とする。
【課題を解決するための手段】
【０００８】
本発明者らは、鋭意検討した結果、輸液装置が、第１の電源の電力を加温部及び送液部に供給する第１の状態と、第１の電源の電力を加温部に供給し、第２の電源の電力を送液部に供給する第２の状態とを切り替える電源切り替え手段を備えることにより、上記問題を解決できることを見出し、本発明を完成するに至った。
【０００９】
すなわち、本発明は以下の態様を含む。
（１）輸液用の液体を送液する輸液装置であって、液体が流れる流路と、前記流路の液体を加温する加温部と、前記流路の液体を送液する送液部と、前記加温部と前記送液部を少なくとも制御する制御部と、を備え、第１の電源の電力を前記加温部、前記送液部及び前記制御部に供給する第１の状態と、前記第１の電源の電力を前記加温部に供給し、第２の電源の電力を前記送液部に供給し、前記第１の電源の電力又は前記第２の電源の電力を前記制御部に供給する第２の状態と、を切り替える電源切り替え手段と、を備えた、輸液装置。
（２）前記電源切り替え手段は、前記第２の状態において、前記第１の電源の電力を前記加温部に供給し、前記第２の電源の電力を前記送液部及び前記制御部に供給する、（１）に記載の輸液装置。
（３）前記第２の電源となるバッテリと、をさらに備え、前記第１の電源は、当該輸液装置の外部にある外部電源である、（１）又は（２）に記載の輸液装置。
（４）前記第１の電源は、前記第２の電源よりも供給電力が大きい、（１）〜（３）のいずれかに記載の輸液装置。
（５）前記電源切り替え手段は、前記加温部に送られる液体の送液流量が所定の閾値以下の場合に前記第１の状態に切り替え、前記送液流量が前記閾値を超える場合に前記第２の状態に切り替える、（１）〜（４）のいずれかに記載の輸液装置。
（６）前記電源切り替え手段は、前記加温部において加温された液体の加温温度が所定の閾値より低い場合に前記第２の状態に切り替え、前記加温温度が所定の閾値以上の場合に前記第１の状態に切り替える、（１）〜（５）のいずれかに記載の輸液装置。
（７）前記電源切り替え手段は、液体の送液の開始から所定時間、前記第２の状態に切り替え、前記所定時間経過後に前記第１の状態に切り替える、（１）〜（６）のいずれかに記載の輸液装置。
【発明の効果】
【００１０】
本発明によれば、輸液用の液体の加温温度が目標温度に迅速に到達できる輸液装置を提供することができる。
【図面の簡単な説明】
【００１１】
【図１】輸液装置の構成の概略を示す模式図である。
【図２】加温装置の構成の概略を示す斜視図である。
【図３】加温装置の構成の概略を示す部分分解図である。
【図４】輸液装置の電源制御の回路構成を示す模式図である。
【図５】輸液装置の電源制御の第１の状態の回路構成を示す模式図である。
【図６】輸液装置の電源制御の第２の状態の回路構成を示す模式図である。
【図７】電源制御のフローの一例を示すフロー図である。
【図８】第１の状態の電力分配を説明する説明図である。
【図９】第２の状態の電力分配を説明する説明図である。
【図１０】第１の状態と第２の状態での血液製剤の加温温度の時間変化を示すグラフである。
【図１１】電源制御の他のフローの一例を示すフロー図である。
【図１２】電源制御の他のフローの一例を示すフロー図である。
【発明を実施するための形態】
【００１２】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１３】
図１は、輸液装置１の構成の一例を示す。図１に示すように輸液装置１は、輸液用の液体としての血液製剤を収容する液体容器１０と、血液製剤を加温する加温部１１と、血液製剤中の気泡を除去する気泡除去チャンバ１２と、液体容器１０と加温部１１を接続する第１の流路１３と、加温部１１と気泡除去チャンバ１２を接続する第２の流路１４と、気泡除去チャンバ１２と患者に輸液を行う輸液部１５を接続する第３の流路１６と、気泡除去チャンバ１２と液体容器１０を接続する第４の流路１７と、第１の流路１３に設けられた第１のポンプ１８と、第３の流路１６に設けられた第２のポンプ１９と、制御部２０等を備えている。
【００１４】
液体容器１０は、例えば血液製剤の供給源となる液体バッグ３０に接続されている。液体容器１０には、第１の流路１３に流出する血液製剤の不要成分を除去するフィルター３１が設けられている。液体容器１０は、例えば樹脂製であり、例えば０．５Ｌ以上の容量を有している。
【００１５】
気泡除去チャンバ１２の上部に第２の流路１４と第４の流路１７が接続され、気泡除去チャンバ１２の下部に第３の流路１６が接続されている。
【００１６】
第１の流路１３、第２の流路１４、第３の流路１６及び第４の流路１７は、軟質の可撓性のあるチューブにより構成されている。
【００１７】
第１のポンプ１８及び第２のポンプ１９には、例えばチューブポンプが用いられる。第１のポンプ１８及び第２のポンプ１９は、例えば１００ｍＬ／ｍｉｎ以上、好ましくは
２５０ｍＬ／ｍｉｎ以上、さらに好ましくは５００ｍＬ／ｍｉｎ以上の送液能力を有する。第１のポンプ１８及び第２のポンプ１９の動作は、制御部２０により制御される。なお、本実施の形態において、第１のポンプ１８及び第２のポンプ１９により送液部２１が構成される。
【００１８】
加温部１１は、全体が図２に示すように例えば方形で厚みのある平盤形状を有している。加温部１１は、図３に示すように血液製剤が流れる加温流路４０を有する軟質バッグとしての加温バッグ４１と、加温流路４０に接触して給熱する熱板４２と、熱板４２と加温バッグ４１を両側から挟む一対の断熱板４３、４４を備えている。
【００１９】
加温バッグ４１は、軟質で可撓性のある樹脂製であり、方形状に形成されている。加温流路４０は、例えば軟質の可撓性のあるチューブ状に形成され、加温バッグ４１面内で蛇行するように設けられている。加温流路４０は、複数の往復路を上下に並べて繋げた形状を有している。加温流路４０は、流路方向に対し直角の断面が扁平の円形状になるように形成されている。なお、加温流路４０のチューブの壁は、０．４ｍｍ以下、好ましくは０．３ｍｍ以下、さらに好ましくは０．２ｍｍ以下の厚さを有している。
【００２０】
加温流路４０の上流側は第１の流路１３に接続され、加温流路４０の下流側は第２の流路１４に接続されている。
【００２１】
熱板４２は、加温バッグ４１よりも大きい方形状に形成されている。熱板４２は、熱伝導率の高い材質、例えばアルミニウム、銅、ステンレス等により形成されている。熱板４２の一方の第１の面４２ａには、加温バッグ４１が設けられている。熱板４２の他方の第２の面４２ｂには、給電により発熱する所定パターンのヒータ６０が配置されている。ヒータ６０のパターンは、例えば一続きの電熱線であり、加温流路４０に対応する位置にジグザグ状に形成されている。ヒータ６０は、例えば発熱量（ヒータ電力）が、加温流路４０の上流側から下流側に向かって段階的に減少し、なおかつ各段階（領域）における発熱量の減少割合（傾き）が、上流側から下流側に向かって小さくなるように配置されている。
【００２２】
断熱板４３、４４は、熱板４２と同程度の大きさで熱板４２よりも厚い方形状に形成されている。断熱板４３、４４は、熱伝導率の低い材質、例えば樹脂、無機質断熱材、有機質と無機質の複合板等により形成されている。第１の断熱板４３が熱板４２の加温バッグ４１側に配置され、第２の断熱板４４が熱板４２のヒータ６０側に配置されている。
【００２３】
第１の断熱板４３、加温バッグ４１、熱板４２及び第２の断熱板４４は、この順に水平方向に積層され、互いに一体的に固定されている。
【００２４】
図１及び図２に示すように加温流路４０の入口部５０に対応する位置には、加温流路４０の入口部５０の血液製剤の温度を検出する第１の温度センサ８０が設けられている。加温流路４０の出口部５１に対応する位置には、加温流路４０の出口部５１の血液製剤の温度を検出する第２の温度センサ８１が設けられている。温度センサ８０、８１は、例えば赤外線センサである。例えば温度センサは、サーモパイルをはじめとする熱起電力型赤外線センサ、焦電型赤外線センサ、ボロメータやＮＣセンサなどの導電型赤外線センサ、光起電力型赤外線センサ等であってもよい。熱起電力型赤外線センサは約３０ｍsecの熱時定数を有し、焦電型赤外線センサは約１２ｍsecの熱時定数を有し、導電型赤外線センサは約１．３secの熱時定数を有し、光起電力型赤外線センサは約１ｍsecの熱時定数を有している。なお、ＮＣセンサは、高精度の２つのサーミスタで構成されており、１つのサーミスタは物体から放射される赤外線を検知し、もう１つのサーミスタは温度補償用として周囲温度を測定し、この２つのサーミスタの出力を演算することにより測定対象物の温度を検出できる。
【００２５】
制御部２０は、例えば汎用コンピュータであり、メモリに記録されたプログラムをＣＰＵで実行することにより、加温部１１、第１のポンプ１８、第２のポンプ１９等を制御して、輸液装置１における輸液プロセスを実行できる。例えば制御部２０は、温度センサ８０、８１の検出結果に基づいて、ヒータ６０の発熱量を制御して、加温流路４０の出口部５１から流出する血液製剤の温度を目標温度に制御できる。
【００２６】
ここで、輸液装置１の電力供給系の構成について説明する。輸液装置１は、図４に示すように電力供給対象（負荷）として、加温部１１、制御部２０、及び送液部２１を備えている。輸液装置１は、さらに第１の電源としての外部電源１００に電気的に接続するためのコネクタ１０１と、第２の電源としてのバッテリ１０２を備えている。外部電源１００は、例えば輸液装置１が設置されている病院などの施設の商業電源であり、例えば１５００Ｗの出力電力を有している。バッテリ１０２は、輸液装置１の内部電源であり、例えば１００Ｗの出力電力を有している。外部電源１００の電力は、コネクタ１０１を通じて、輸液装置１の加温部１１、制御部２０及び送液部２１に供給できる。バッテリ１０２の電力は、送液部２１または制御部２０に供給できる。
【００２７】
図１に示すように輸液装置１の制御部２０は、電源切り替え手段１２０を備えている。電源切り替え手段１２０は、図５に示すように外部電源１００の電力を加温部１１、制御部２０及び送液部２１に供給する第１の状態と、図６に示すように外部電源１００の電力を加温部１１に供給し、バッテリ１０２の電力を送液部２１及び制御部２０に供給する第２の状態とを切り替えることができる。
【００２８】
電源切り替え手段１２０は、例えば加温部１１に送られる血液製剤の送液流量が所定の閾値以下の場合に図５の第１の状態に切り替え、血液製剤の送液流量が閾値を超える場合に図６の第２の状態に切り替えることができる。電源切り替え手段１２０は、第１の状態と第２の状態の切り替えを、例えばスイッチング回路やそれらを制御するためのプログラム等を用いて実行できる。
【００２９】
次に、以上のように構成された輸液装置１の輸液動作について説明する。先ず、輸液装置１のコネクタ１０１が外部電源１００に接続される。図１に示すように、例えば４℃程度の低温の血液製剤が貯留された液体バッグ３０が液体容器１０に接続され、液体バッグ３０の血液製剤が液体容器１０内に貯留される。その後第１のポンプ１８と第２のポンプ１９が作動し、液体容器１０の血液製剤が第１の流路１３を通って加温部１１に送られる。加温部１１では、血液製剤が加温流路４０を通過し、その際にヒータ６０を熱源とする熱板４２により血液製剤が、体温に近い３７℃程度の目標温度まで加温される。加温流路４０を通過する血液製剤の流量は、例えば０．２mL/min〜１２００mL/min程度に調整される。
【００３０】
この際温度センサ８０、８１が作動し、加温流路４０の入口部５０と出口部５１の血液製剤の温度が検出され、制御部２０に出力される。
【００３１】
制御部２０は、温度センサ８０、８１の検出温度に基づいて、ヒータ６０の発熱量を調整し、加温流路４０の出口部５１における血液製剤の温度が目標温度になるように制御する。例えば制御部２０は、加温流路４０の入口部５０における第１の温度センサ８０の検出温度に基づいて、出口部５１における血液製剤の温度をフィードフォワード制御し、出口部５１における第２の温度センサ８１の検出温度に基づいて、出口部５１における血液製剤の温度をフィードバック制御する。
【００３２】
加温部１１により目標温度まで加温された血液製剤は、第２の流路１４を通過し、気泡除去チャンバ１２に流入する。その後、血液製剤は、第２のポンプ１９により第３の流路１６を通過し、輸液部１５から患者に輸液される。患者への輸液量は、第２のポンプ１９の液送流量を調整することにより制御される。
【００３３】
加温部１１において血液製剤中に生じた気泡は、気泡除去チャンバ１２で補足される。気泡除去チャンバ１２内の一部の血液製剤と気体は、第４の流路１７を通って液体容器１０に戻される。この第４の流路１７を通過する気体を含む流体の流量は、第１のポンプ１８の送液流量を調整することにより制御される。例えば第１のポンプ１８の送液流量を増やすことにより、気泡除去チャンバ１２から第４の流路１７に流出する流体の流量が増え、第１のポンプ１８の送液流量を減らすことにより、気泡除去チャンバ１２から第４の流路１７に流出する液体の流量が減る。
【００３４】
次に輸液装置１の電源制御について説明する。図７には、電源制御のフローの一例を示す。例えば輸液時に加温部１１に供給される血液製剤の流量Ｑが設定される。第１のポンプ１８の設定流量Ｑが所定の閾値Ｄ以下、例えば１５０ｍＬ/ｍｉｎ以下の場合には、外部電源１００のみが使用され、電源切り替え手段１２０により、外部電源１００の電力が加温部１１、制御部２０及び送液部２１に供給される第１の状態（図５に示す状態）に切り替えられる。また、血液製剤の設定流量Ｑが所定の閾値Ｄを超える、例えば１５０ｍＬ/ｍｉｎを超える場合には、外部電源１００及びバッテリ１０２が使用され、電源切り替え手段１２０により、外部電源１００の電力が加温部１１に供給され、バッテリ１０２の電力が送液部２１及び制御部２０に供給される第２の状態（図６に示す状態）に切り替えられる。そして、上述の第１の状態又は第２の状態に切り替えた状態で、患者への輸液が行われる。
【００３５】
第１の状態では、図８に示すように外部電源１００の１５００Ｗの出力電力のうち、例えば１３５０Ｗが加温部１１に供給され、残りが制御部２０と送液部２１に分配供給される。第２の状態では、図９に示すように外部電源１００の１５００Ｗの出力電力が加温部１１に供給され、バッテリ１０２の１００Ｗの電力が送液部２１及び制御部２０に供給される。
【００３６】
本実施の形態によれば、輸液装置１が、外部電源１００の電力を加温部１１、送液部２１及び制御部２０に供給する第１の状態と、外部電源１００の電力を加温部１１に供給し、バッテリ１０２の電力を送液部２１及び制御部２０に供給する第２の状態とを切り替える電源切り替え手段１２０を備えている。このため、加温部１１のヒータ６０のより多くの発熱のための電力がより多く必要な場合に、第２の状態に切り替えて、送液部２１及び制御部２０で必要な電力をバッテリ１０２が担い、その分、外部電源１００から加温部１１への電力供給を増やすことができる。この結果、輸液開始当初に加温部１１に供給する電力を増大させて、血液製剤の加温温度が目標温度に到達するまでの時間を短縮することができる。
【００３７】
図１０には、実際に、輸液開始当初、第２の状態で加温部１１に電力を供給したとき（実線）と、第１の状態で加温部１１に電力を供給したときの血液製剤の加温温度Ｔの時間変化の実施例を示す。このように、輸液開始当初に第２の状態にすることにより、加温温度Ｔが初期温度（常温）から目標温度（３７℃）に到達するまでの時間を短縮することができる。例えば、加温部１１への電力供給を１００Ｗ増やすと、目標温度到達までに送液する量は、流量が５００mL/minのとき、約２L軽減できる。ヒトの循環血液量は約４〜５Lであるので、冷たい液体を約２L注入しなくて済むことにより低体温症の発症リスクを飛躍的に低減することができる。
【００３８】
輸液装置１は、内部電源であるバッテリ１０２を備えているので、一般的に電力が大きく継続使用のできる外部電源１００を主に使いつつ、必要に応じてバッテリ１０２の電力を使うことができる。
【００３９】
外部電源１００はバッテリ１０２よりも供給電力が大きいので、加温部１１に十分な電力を供給することができる。また、バッテリ１０２は、補助電力として機能し、外部電源１００に比べて大きな電力を必要としないので、小型化なものを使用することができる。輸液装置１で必要な電力を担うバッテリ１０２を輸液装置１内に組み込んだ場合、輸液装置１と外部電源１００と配線本数が減るので、使用者の操作性や作業性を向上することができる。
【００４０】
電源切り替え手段１２０は、加温部１１に送液される血液製剤の流量Ｑが所定の閾値Ｄ以下の場合に第１の状態に切り替え、血液製剤の流量Ｑが閾値Ｄを超える場合に第２の状態に切り替える。これにより、第１のポンプ１８の血液製剤の設定流量Ｑが多く、加温部１１の加温のための電力がより多く必要な場合に輸液装置１で必要な電力を外部電源１００とバッテリ１０２で分担し、その分外部電源１００から加温部１１への電力供給を増やすことができる。この結果、血液製剤の流量が多い場合であっても、血液製剤が目標温度まで到達し安定するまでの時間を適切に短縮することができる。さらに、センサを追加しなくて良いので、輸液装置１の構成や制御が簡素化される。
【００４１】
なお、上述の実施の形態において、第２の状態における制御部２０への電力の供給は、必ずしもバッテリ１０２から行う必要はなく、外部電源１００から行ってもよい。この場合、第１の状態と第２の状態における制御部２０への電力供給を同じ外部電源１００で行うので、制御部２０への電力供給を安定的に行うことができる。
【００４２】
上記実施の形態において、電源切り替え手段１２０は、加温部１１において加温された血液製剤の加温温度が所定の閾値より低い場合に第２の状態に切り替え、加温温度が所定の閾値以上の場合に第１の状態に切り替えてもよい。この場合の電源制御のフローの一例を図１１に示す。例えば輸液が開始され、加温部１１の加温流路４０の出口部５１の温度（加温温度Ｔ）が温度センサ８１により検出される。その血液製剤の加温温度Ｔが所定の閾値Ｅより低い、例えば３７℃より低い場合には、電源切り替え手段１２０により第２の状態に切り替えられ、外部電源１００とバッテリ１０２が使用され、外部電源１００の電力が加温部１１及び制御部２０に供給され、バッテリ１０２の電力が送液部２１に供給される。また、血液製剤の加温温度Ｔが所定の閾値Ｅ以上、例えば３７℃以上の場合には、電源切り替え手段１２０により第１の状態に切り替えられ、外部電源１００のみが使用され、外部電源１００の電力が加温部１１、送液部２１及び制御部２０に供給される。こうすることにより、血液製剤の加温温度Ｔが閾値Ｅに達していない場合に、外部電源１００の電力を加温部１１により多く供給できるので、血液製剤が目標温度まで到達するまでの時間を適切に短縮できる。また、血液製剤の加温温度Ｔが閾値Ｅ以上の場合には、バッテリ１０２を使用せず、外部電源１００だけで電力の供給を行うので、バッテリ１０２の電力消費を抑えることができる。また、温度センサを用いることにより、血液製剤の加温温度が低くエネルギーが必要なときだけ、確実に第２の状態に切り替えることができる。
【００４３】
以上の実施の形態において、電源切り替え手段１２０は、血液製剤の送液の開始から所定時間、第２の状態に切り替え、所定時間経過後に第１の状態に切り替えてもよい。この場合の電源制御のフローの一例を図１２に示す。例えば輸液が開始され、輸液開始からの経過時間をタイマーで計測する。所定時間Ｓが経過するまで、電源切り替え手段１２０により第２の状態に切り替えられ、外部電源１００及びバッテリ１０２が使用され、外部電源１００の電力が加温部１１及び制御部２０に供給され、バッテリ１０２の電力が送液部２１に供給される。そして所定時間Ｓ経過後に、電源切り替え手段１２０により第１の状態に切り替えられ、外部電源１００のみが使用され、外部電源１００の電力が加温部１１、送液部２１及び制御部２０に供給される。こうすることにより、輸液開始直後の血液製剤の加温温度が目標温度に達していない時に、外部電源１００の電力を加温部１１により多く供給できるので、血液製剤が目標温度まで到達するまでの時間を適切に短縮できる。また、輸液開始後所定時間Ｓが経過し血液製剤の加温温度が目標温度に到達した後は、バッテリ１０２を使用せず、外部電源１００だけで電力の供給を行うので、バッテリ１０２の電力消費を抑えることができる。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４５】
例えば上記実施の形態において、第１の電源が外部電源１００であり、第２の電源が内部電源のバッテリ１０２であったが、第１の電源と第２の電源の両方が外部電源であってもよい。この場合、輸液装置１は、第２の電源の外部電源に電気的に接続するためのコネクタを備える。外部電源は、病院等の施設の商業電源、自己発電電源であってもよいし、救急車両等の移動車の電源であってもよい。また、第１の電源と第２の電源の両方が内部電源のバッテリであってもよい。輸液装置１の全体構成、加温部１１の構成、送液部２１の構成等は、本実施の形態のものに限られない。輸液装置１は、加温部１１、送液部２１、制御部２０以外の負荷装置を備えていてもよい。制御部２０は、輸液装置１において加温部１１及び送液部２１以外のものも制御してもよい。輸液装置１で送液される輸液用の液体は血液製剤であったが、これに限られず、例えば新鮮凍結血漿(FFP)、アルブミン、細胞外液であってもよい。
【産業上の利用可能性】
【００４６】
本発明は、輸液用の液体の加温温度が目標温度に迅速に到達できる輸液装置を提供する際に有用である。
【符号の説明】
【００４７】
１  輸液装置
１１  加温部
２０  制御部
２１  送液部
４０  加温流路
１００  外部電源
１０２  バッテリ
１２０  電源切り替え手段
【図１】
2019072422.tif 000003
【図２】
2019072422.tif 000004
【図３】
2019072422.tif 000005
【図４】
2019072422.tif 000006
【図５】
2019072422.tif 000007
【図６】
2019072422.tif 000008
【図７】
2019072422.tif 000009
【図８】
2019072422.tif 000010
【図９】
2019072422.tif 000011
【図１０】
2019072422.tif 000012
【図１１】
2019072422.tif 000013
【図１２】
2019072422.tif 000014